(57)【特許請求の範囲】
【請求項１】
ＡＬＣ版からなる複数枚の床版が隣り合わせ状態に並べられてそれらの端部又は中間部が共通の受け材に受けられ、
この受け材が、床梁の延びる方向に向けられ、該方向に床版１枚分の寸法よりも大の間隔寸法をおいて配置された複数の防振材を介して床梁に支持されていることを特徴とする衝撃音を低減する床構造。
【請求項２】
前記受け材が、長手方向の少なくとも３箇所において防振材で支持されている請求項１に記載の衝撃音を低減する床構造。
【発明の詳細な説明】
【０００１】
【発明の属する技術分野】
本発明は、衝撃音を低減する床構造に関する。
【０００２】
【従来の技術及び課題】
戸建て住宅や集合住宅での床衝撃音の低減方法の一つに、防振ゴムなどの防振材を用い、衝撃を緩衝して音の発生を抑えようとする防振や緩衝といった方法がある。しかしながら、防振材を用いた低減法では、防振材はこれが柔らかければ柔らかいほど衝撃音を効果的に低減できるのであるが、柔らかくすると、振動障害を生じさせたり、床としての安定感を損なわせるなどの問題が起きる。
【０００３】
本発明は、このような問題点に鑑み、振動障害を生じさせたり、床としての安定性を損なわせることなく、衝撃音を効果的に低減することができる床の構造を提供することを課題とする。
【０００４】
【課題を解決するための手段】
上記の課題は、複数枚の床版が隣り合わせ状態に並べられてそれらの端部又は中間部が共通の受け材に受けられ、
この受け材が、床梁の延びる方向に向けられ、防振材を介して床梁に支持されていることを特徴とする衝撃音を低減する床構造によって解決される。
【０００５】
この床構造では、隣り合わせ状態に並べられる複数枚の床版を共通の受け材で受け、この受け材と床梁との間に防振材を介設し、床版の複数枚分の自重を受け材を介して防振材に作用させて、振動系の固有振動数を低くするようにしているので、衝撃音、特に重量床衝撃音を効果的に低減することができる。特に、床版がＡＬＣ版などの軽量床版からなる場合には、衝撃音を効果的に低減することができる。
【０００６】
しかも、床の自重によって防振材の負担する荷重を大きくし固有振動数を低くする構造であるから、床上への積載による床の変位量も小さく抑えることができ、床としての安定性を損なわせることもない。
【０００７】
加えて、固有振動数を低くはしたが、それは防振材に作用する床の自重を大きくすることによってしたものであるから、振動障害を生じさせることもない。
【０００８】
受け材が、床梁の延びる方向に間隔をおいて配置された複数の防振材で支持されている場合、特に、防振材間の間隔寸法が、床版の１枚分の寸法よりも大である場合は、固有振動数を効果的に低くすることができて、衝撃音をより効果的に低減できる。
【０００９】
受け材が、長手方向の少なくとも３箇所において防振材で支持されている場合は、中間の防振材を挟む一方の側に衝撃が入力された場合に、この防振材を挟むもう一方の側の床版の自重などによって、前記一方の側の床版の振動を抑制することができる。即ち、本来、床梁と一体となって生じる床版の低域振動が、受け材に吸収され、しかも、中間の防振材を挟む両側の荷重が反対の方向に働き合うことなどによって、減衰効果が奏される。
【００１０】
【発明の実施の形態】
次に、本発明の実施形態を図面に基づいて説明する。
【００１１】
図１乃至図３に示す実施形態の床構造において、１は床梁、２は床版、３は受け材、４は防振材である。本実施形態の床構造は、図３に示すように、隣り合わせ状態に並べた複数枚の床版２…をその両端部において床梁１…で支えて床を形成しているもので、床は例えば６畳間の広さのものからなり、その長辺方向には６枚の床版２…が並べられている。図１及び図２に示すように、床梁１はＨ形鋼からなり、床版２は平面視方形のＡＬＣ版からなっている。上記の床版２…は、受け材３と防振材４とを介して床梁１に支えられている。
【００１２】
受け材３は、Ｔ形鋼からなり、床版６枚分を受ける長さ寸法を有し、ウェブ３ａを上、フランジ３ｂを下にし、床梁１の長手方向に向けられ、防振材４を介して床梁１の上に支持されている。防振材４は、防振ゴムなどのゴムないしはゴム状のものなどからなっており、受け材３をその長手方向の両端部と中央部との３点で支持している。即ち、受け材３は、その長手方向において６枚の床版２…を受け、防振材４…による防振支持部間で各３枚の床版２…を受けることになる。
【００１３】
この受け材３は、ウェブ３ａを挟む一方の側のフランジ部分の上面で、床梁１を挟む一方の側の６枚の床版２…の端部下面を受け、ウェブ３ａを挟むもう一方の側のフランジ部分の上面で、床梁１を挟むもう一方の側の６枚の床版２…の端部下面を受けている。なお、受け材３と床版２との間にはペフ５が挟み込まれ、このペフ５は、隣り合う床版２…の不陸を調整すると共に、床版２…を横方向に滑らせやすくし、また、２次加振音の発生を防ぐ。そして、この受け材３のウェブ３ａは、床梁１を挟む床版２，２間の隙間に突出させて逃がされている。図２（イ）に示すように、受け材３は、そのフランジ３ｂの幅寸法が床梁１の上フランジ１ａの幅寸法と同等程度に設計されており、また、ウェブ３ａの高さ寸法は、受け材３の剛性を高くするため、床版２の上面から上方に突出しない範囲でできるだけ大きく設計されている。
【００１４】
因みに、実施形態では、床梁１の断面２次モーメントが１０５０ｃｍ4程度であるのに対し、受け材３の断面２次モーメントは１１４ｃｍ4程度である。即ち、あるピッチで防振材４…で支持される受け材３の弾性変位量が、床梁１に床版２を直置きした場合の床梁１の弾性変位量と同程度になるように設定されている。
【００１５】
防振材４の厚さ寸法は、受け材３の弾性撓み量より大きければよく、防振材４…による防振支持部間の寸法が１８００ｍｍ程度なら、３ｍｍ以上、好ましくは５〜８ｍｍの範囲に設定しておけばよい。
【００１６】
そして、図２（ロ）に示すように、床版２は、固定金物６を用い、そのフック６ａを床梁１の上フランジ１ａの下面側に掛け、上下方向に締め付けて、床梁１に固定されており、この固定によって、受け材３も床梁１に固定されている。即ち、受け材３は、防振材４と床梁１との摩擦力、及び、防振材４と受け材３との摩擦力によって、横ズレすることなく床梁１上の定位置に固定される。この固定によってまた、受け材３のウェブ３ａが、床版２…のズレ止めとしても機能する。６ｂは弾性要素であり、固定金物６のフック６ａと床梁１の上フランジ１ａの下面との間に挟み込まれている。
【００１７】
施工は、床梁１の上に防振材４と受け材３とを設置したのち、床版２…を置いていき、固定金物６で床版２を床梁１に固定すればよい。防振材４と受け材３の施工は、床梁１の上に防振材４…を所定のピッチで設置し、その上に受け材３を載せるというようにしてもよいし、受け材３のフランジ３ｂの下面に予め防振材４を所定のピッチで取り付けておき、その受け材３を防振材４…を下にして床梁１に載せるというようにしてもよい。受け材３には、孔などをあけ、クレーン吊りできるようにしておくとよい。７は仕上げ下地としての捨貼り面材である。
【００１８】
上記の床構造では、複数枚の床版２…を共通の受け材３…で受け、この受け材３と床梁１との間に防振材４…を介設し、複数枚の床版２…の自重を受け材３を介して防振材４…に作用させる構成としており、しかも、床梁１の延びる方向に床版２の３枚分の寸法程度の間隔をおいて受け材３を両端、中央の３点で防振支持する構成としているので、振動系の固有振動数を低くして、衝撃音、特に重量床衝撃音を効果的に低減することができる。
【００１９】
しかも、床版２…の自重によって固有振動数を低くする構造としているから、床上への積載による床の変位量も小さく抑えることができ、床としての安定性を損なわせることもないし、振動障害を生じさせることもない。
【００２０】
加えて、受け材３が、長手方向の両端及び中央の３点で防振材４…により支持されているので、中央の防振材４を挟む一方の側に衝撃が入力された場合に、その衝撃による振動を、もう一方の側の床版の自重などによって抑制することができる。つまり、本来、床梁と一体となって生じる床版の低域振動が受け材に吸収され、しかも、中間の防振材を挟む両側の荷重が反対の方向に働き合うことによって、減衰効果が奏される。この場合の減衰要素は、固定金物６や、受け材３の有する弾性、防振材４などである。
【００２１】
また、上記の床構造によれば、床梁の振動特性に関係なく振動特性を設定できるし、コスト的に有利に所期の目的を達成することができるし、複雑なプランへの対応も容易に行うことができるし、地震時の横揺れなどに対しても安全であるし、床版２から床梁１までの間にいくつもの弾性要素があるので固体音の伝達を防ぐことができる等、種々の効果が発揮される。
【００２２】
因みに、加振点を図４に示すような位置にして床衝撃音レベルを測定し平均したところ、図５（イ）に示すような結果が得られた。この結果により、本発明の床構造を採用することで、重量床衝撃音の性能評価が決められる６３Ｈｚ帯域において効果量はおよそ５ｄＢとなり、１ランクの改善効果を得ることができるのを確認した。更に、加振点ごとの特性を考慮すると、従来とは異なり、床版のスパン中央ほど効果が大きいことを確認した。また、１／３オクターブバンドで見ると、図５（ロ）に示すように、これまで困難とされていた５０Ｈｚ（１／３オクターブバンド）で改善量は５〜８ｄＢにも達し、８０Ｈｚのレベルは天井によって低減されるため天井との組合せでは更なる優位性が発揮される。
【００２３】
図６（イ）は、外壁際における構造を示すもので、外壁パネル８との取り合い関係上の理由から、受け材３として山形鋼を用いた場合のものである。なお、カーテンウォール形式などの場合には、Ｔ形鋼のままでもよい。
【００２４】
図６（ロ）は、床版２の下面を床梁１の上面よりも下方に落とし込む形式の床構造を示しており、この場合の受け材３は、左右の受け用アングル材３ｃ，３ｃを金物３ｄでハット状につなぎ、防振材４は、金物３ｄと床梁１の上フランジ１ａ上面との間に介設するようにすればよい。
【００２５】
以上に、本発明の実施形態を示したが、本発明はこれに限られるものではなく、発明思想を逸脱しない範囲で各種の変更が可能である。例えば、上記の実施形態では、床版がＡＬＣ版からなる場合を示しているが、これに限らず、鉄骨建物であるか、木造建物であるか、パネル式建物であるかを問わず、各種の床版からなっていてよいことは言うまでもない。また、受け材は、床版を受けるに必要充分な剛性を備えたものを用いる必要があるので、一般的には、床版をその端部で支える構造とするのがよいが、必ずしも、端部である必要はなく、受け材に、必要な剛性をもたせながら、床版を、その端部間の中間部において受けさせる構成とするようにしてもよい。また、防振材として各種のものが用いられてよい。
【００２６】
【発明の効果】
本発明の床構造は、以上のとおりのものであるから、振動障害を生じさせたり、床としての安定性を損なわせることなく、衝撃音を効果的に低減することができる。
【図面の簡単な説明】
【図１】実施形態の床構造を示す分解斜視図である。
【図２】図（イ）は同側面図で図３（ロ）のＩ−Ｉ線矢視図、図（ロ）は図（イ）のＩＩ−ＩＩ線断面矢視図である。
【図３】図（イ）は床梁の平面図、図（ロ）は床版を設置した状態に平面図である。
【図４】効果確認試験での加振点位置を示す床平面図である。
【図５】図（イ）（ロ）はそれぞれ、測定結果を示すグラフ図である。
【図６】図（イ）（ロ）はそれぞれ、他の実施形態を示す断面図である。
【符号の説明】
１…床梁
２…ＡＬＣ版（床版）
３…共通の受け材
４…防振材
【図１】
0003895101.tif 000002
【図２】
0003895101.tif 000003
【図３】
0003895101.tif 000004
【図４】
0003895101.tif 000005
【図５】
0003895101.tif 000006
【図６】
0003895101.tif 000007